(57)【要約】      （修正有）【課題】燃焼率を促し燃焼高効率を高め強力なドラフト効率を引出し完全燃焼の効果を補助し無煙焼成を発揮する調理用無煙薪ストーブを提供する。【解決手段】調理用無煙薪ストーブ本体１正面にある燃焼室２４の上部面に設けた断熱材２０を備えた外筒煙突２１に、ヒートライザー燃焼を発生する内筒直通煙突１９を設け、断熱材２０を備えた外筒煙突２１とその内部に備えた内筒直通煙突１９を備えた部屋と、棚を設けた調理室１６の周設にある燃焼通路の境にヒートライザー囲い仕切り板部２２を設けた二つの部屋を備え、二つの部屋に通じる煙突穴と、棚を設けた調理室１６の下部に設けた調理室用ダンパー１７と棚を設けた調理室１６の上部に設けたダンパー付き煙突２へ調理用無煙薪ストーブ本体１側面左右面に一次、二次、三次空気を供給する外気取り込み調整口１１、１３、１４を設けた。【選択図】図２
0003219419.tif 000002
【実用新案登録請求の範囲】
【請求項１】
調理用無煙薪ストーブ本体にダンパー用取手ハンドルを備えたダンパー付き煙突を設け、調理用無煙薪ストーブ本体の正面に窓ガラスクリーン空気孔を備えた燃焼室枠を設け、調理用無煙薪ストーブ本体の左側面上部に、調理室用耐熱窓ガラスを備えた調理室用取手付開閉扉を設け、調理用無煙薪ストーブ本体の正面に燃焼室用耐熱窓ガラスを備えた燃焼室取手付開閉扉を設け、燃焼室取手付開閉扉の真下に灰受け取出しトレイを設け、調理用無煙薪ストーブ本体側面左右面に一次外気取り込み調整口と二次外気取入れ孔を備えた二次外気取り込み調整口並びに三次外気取り込み調整口を設け、調理用無煙薪ストーブ本体側面左右面に調理室用ダンパー開閉ハンドルを設け、調理用無煙薪ストーブ本体正面にある燃焼室の上部面に内筒直通煙突と断熱材を備えた外筒煙突を設け、調理用無煙薪ストーブ本体内部の上部奥面位置に調理室用ダンパーを設け、棚を備えた調理室を装着した調理用無煙薪ストーブ。
【請求項２】
調理用無煙薪ストーブ本体正面にある燃焼室の上部面に内筒直通煙突と断熱材を備えた外筒煙突を設け、棚を備えた調理室との周設にある燃焼通路との境に上昇気流を発生させるヒートライザー囲い仕切り板部を設け、断熱材を備えた外筒煙突の内側に設けた内筒直通煙突から発生させたヒートライザー燃焼による燃焼を、三次空気と合流しさらに強力な高温燃焼を引き起こした燃焼と、調理室の周設にある燃焼通路を取り囲むように燃焼した排気燃焼を調理室用ダンパー開閉により得た燃焼と係合させ、ドラフトを強めるヒートライザーのある空間の部屋に通じる煙突穴道と調理室の上部に設けてあるダンパー付き煙突の煙突道の二つの煙突道を持つ燃焼室を備えたことを特長とする請求項１記載の調理用無煙薪ストーブ。
【請求項３】
調理用無煙薪ストーブ本体正面にある燃焼室の上部面に設けた、ヒートライザー内部に設けた外筒煙突はその内部に備えた内筒煙突は外気から冷やされないことで、外気温との温度差が生まれ一つのドラフトによる吸排気が強力な引きが発生し、さらに調理室の空間に繋がっている調理室用ダンパーによる二つの煙道により燃焼室高効率が高められ、燃焼室に大型の薪の使用が可能にすることが出来たことを特長とする請求項１、２記載の調理用無煙薪ストーブ。
【請求項４】
調理用無煙薪ストーブ本体側面左右面に一次外気取り込み調整口と二次外気取入れ孔を備えた二次外気取り込み調整口並びに三次外気取り込み調整口を複数設け、調理用無煙薪ストーブ本体側面左右面に調理室用ダンパー開閉ハンドルを設け、燃焼空気は調理用無煙薪ストーブ本体ストーブの燃焼室の焚き口下からと燃焼室真ん中とそれに上部から空気を供給してドラフトによる同時複数の吸排気によって燃焼率を高めるように設けてあり、完全燃焼の効果を補助し無煙焼成を発揮することが可能となり、さらに煙道上部のダンパー付き煙突を調整することにより燃焼時間調整ができ、ゆっくりと燃焼させることにより長時間燃焼を可能にし、燃焼暖房の効率を高めることが出来た事を特長とする請求項１、２、３記載の調理用無煙薪ストーブ。
【考案の詳細な説明】
【技術分野】
【０００１】  この考案は、薪ストーブに備えられた調理室の燃焼の熱効率を高めるために、調理用無煙薪ストーブ本体正面にある燃焼室の上部面に設けた、断熱材を備えた外筒煙突にヒートライザー燃焼を発生する内筒直通煙突を設け、断熱材を備えた外筒煙突とその内部に備えた内筒直通煙突を備えた部屋と、棚を設けた調理室の周設にある燃焼通路の境にヒートライザー囲い仕切り板部を設けた二つの部屋を備え、二つの部屋に通じる煙突穴と、棚を設けた調理室の下部に設けた調理室用ダンパーと棚を設けた調理室の上部に設けたダンパー付き煙突へ調理用無煙薪ストーブ本体側面左右面に一次、二次、三次空気を供給する外気取り込み調整口を設け、燃焼率を促し燃焼高効率を高め強力なドラフト効率を引出し完全燃焼の効果を補助し無煙焼成を発揮する調理用無煙薪ストーブに関するものである。
【背景技術】
【０００２】  従来、一次、二次燃焼空気を取入れシングル煙突のヒートライザー部を設け、二次燃焼空気を吸い上げ上昇気流を発生させる薪ストーブはあった、また断熱材併用した二重煙突のヒートライザー部を設けた薪ストーブで上部より強力なドリフトを発生させる薪ストーブで燃焼を高めるようにしたストーブはあった。
【考案の開示】
【考案が解決しようとする課題】
【０００３】そのために次のような問題があった。
ヒートライザーの煙突の方式で高い熱効率が良い事から、別名ロケットストーブとも呼ばれ、屋内取扱いが危険であることから、屋外向きの使用型の薪ストーブであり、熱効率が上がった分、薪の消費が高くなる事、さらにロケットストーブの焚き口は縦型が基本で長い薪原料が使えることが特長であり、また欠点にも成っていて、薪を縦た状態で燃焼させるため、薪が倒れやすく、付きっきりで取り扱うことが基本のため、使用管理が問題であり、焚き口が狭く、縦に薪を焼べる構造で長い薪を入れる事が出来るのが特長でしたが、実態は薪が外に倒れる事があるトラブルを抱えていたため、管理する人が薪を送り込みしないで放置すると火がついた薪が火元の所で折れて外に倒れてくる難題があった、そのため回りの可燃物に引火する事故が懸念される可能性があり、ロケットストーブ型のストーブ本体は外で使用して設置することが主体のストーブでもあり、簡易なロケットストーブは従来連続燃焼には不向きで、熱効率が上がった分、少なくても長い薪でも数分おきには、火の管理しないと火の取扱いの危険なデメリットがあり、縦の薪の先端から燃焼させるためお線香が燃えるみたいに、着火点に向かって、落ちて行き、長い薪が燃焼途中で釜外に倒れる事を理解した人でないと簡易に取り扱うには、難しいストーブで、ロケットストーブの短所を理解しないと取扱い事故を避けられないなどの問題もあった。ロケットストーブは熱効率が良いため、長い煙突を要旨、屋外向きで、屋内に設置をする時には、慎重を要して取り扱わないと危険であった。
本考案は以上の問題点を解決するためになされたものである。
【課題を解決するための手段】
【０００４】  燃焼室に横伏せで長い薪を取り扱えるように設け、調理用無煙薪ストーブ本体にある燃焼室に備えた断熱材を備えた外筒煙突と外筒煙突内に設けた内筒直通煙突は外気に冷やされないことで外気温との温度差が生まれ強い上昇気流による吸排気が得られる為強力な引きが発生し、燃焼効率の高いヒートライザーの効果が発揮できる。調理用無煙薪ストーブ  本体側面左右面に一次、二次、三次空気を供給する外気取り込み調整口を設ける事により内筒直通煙突のヒートライザーの効力が上がり、棚を備えた調理室の下に備えた調理室用のダンパーの開閉操作により、更なる強力な空気供給が得られるため調理室の部屋の空気はヒートライザー内部からのドラフト力１段と、棚を備えた調理室の上部に設けたダンパー付き煙突に調理室の部屋の空気が２段効果を発揮し、ダンパー付き煙突への上昇気流が強力に発生し、高い吸引力を発揮し、燃焼効率が一挙に高まり、煙突からの煙を効率良くクリーンな排出を促すように働き、煤やタールなども皆無に近くなり、長い煙突は比較的短小で使用出来る事が可能となり、屋内でも安全に取り扱う事ができる２つの部屋から得たダブルドラフト発生を備えたことにより、完全燃焼の効果を補助し無煙焼成を発揮する調理用無煙薪ストーブである。
【考案の効果】
【０００５】  調理用無煙薪ストーブ本体に二つの部屋を設けるように、ヒートライザー内部に備えた、断熱材を備えた外筒煙突と内筒直通煙突の部屋と、棚を備えた調理室の上部に設けたダンパー付き煙突の付いた調理室の部屋との二つの空間を備えた煙道を使うことで二つの燃焼室効率最大に高まり、効率の良い燃焼が引出せるため、燃焼室に設けた焚き口の薪が大型薪並びに長い長さの薪を燃焼する事ができ、調理室の上部に設けたダンパー付き煙突のダンパー調整により、薪の燃焼時間をコントロールする事ができ、調理室の下に備えた調理室用のダンパーの開閉操作により、調理室の温度コントロールが容易にできる。
【考案を実施するための最良の形態】
【０００６】  以下本考案の実施の形態について説明する。
（イ）調理用無煙薪ストーブ本体（１）にダンパー用取手ハンドル（３）を備えたダンパー付き煙突（２）を設ける。
（ロ）調理室用耐熱窓ガラス（５）を備えた調理室用取手付開閉扉（４）を設け、調理用無煙薪ストーブ本体（１）の正面に燃焼室枠（６）に窓ガラスクリーン空気孔（７）を設け、燃焼室用耐熱窓ガラス（９）を備えた燃焼室取手付開閉扉（８）を設ける。
（ハ）燃焼室取手付開閉扉（８）の真下に灰受け取出しトレイ（１０）を設け、調理用無煙薪ストーブ本体（１）側面左右面に一次外気取り込み調整口（１）と二次外気取入れ孔（１２）を備えた二次外気取り込み調整口（１３）並びに三次外気取り込み調整口（１４）を設け、調理用無煙薪ストーブ本体（１）側面左右面に調理室用ダンパー開閉ハンドル（１５）を設ける。
（ニ）調理用無煙薪ストーブ本体（１）正面にある燃焼室（２４）の上部面に内筒直通煙突（１９）と断熱材（２０）を備えた外筒煙突（２１）にヒートライザー空気抜き孔付天板（３１）を設ける。
（ホ）調理用無煙薪ストーブ本体（１）の奥面に調理室用ダンパー（１７）を備えた棚を備えた調理室（１６）を装着する。
本考案は、以上の構造でこれを使用するときは、燃焼室（２４）に備えたロストル（１８）の上部面に薪を横長に置き一次燃焼（３５）二次燃焼（３６）と燃焼した火の勢いをさらに引き上げできるように、複数に備えた一次外気取り込み調整口（１）、二次外気取り込み調整口（１３）、三次外気取り込み調整口（１４）を設け、外気をストーブ内の燃焼室（２４）に効率的に吸引し、ヒートライザー燃焼（３７）から発生した部屋の燃焼と棚を備えた調理室（１６）の部屋の二つのダブルドラフト発生を備えたことにより、高品質な熱効率を作り、調理室用ダンパー（１７）空気取り込み調整により、棚を備えた調理室（１６）の部屋の温度調整と熱効率を容易にコントロール調整できる完全燃焼の効果を補助し無煙焼成を発揮するように備えた調理用無煙薪ストーブ（１）である
【図面の簡単な説明】
【０００７】
【図１】調理用無煙薪ストーブ本体
【図２】ダンパー付き煙突
【図３】ダンパー用取手ハンドル
【図４】調理室用取手付開閉扉
【図５】調理室用耐熱窓ガラス
【図６】燃焼室枠
【図７】窓ガラスクリーン空気孔
【図８】燃焼室取手付開閉扉
【図９】燃焼室用耐熱窓ガラス
【図１０】灰受け取出しトレイ
【図１１】一次外気取り込み調整口
【図１２】二次外気取入れ孔
【図１３】二次外気取り込み調整口
【図１４】三次外気取り込み調整口
【図１５】調理室用ダンパー開閉ハンドル
【図１６】棚を備えた調理室
【図１７】調理室用ダンパー
【図１８】ロストル
【図１９】内筒直通煙突
【図２０】断熱材
【図２１】外筒煙突
【図２２】ヒートライザー囲い仕切り板部
【図２３】ヒートライザー内部
【図２４】燃焼室
【図２５】薪ストーブ土台
【図２６】一次外気排出孔室
【図２７】三次三相排出孔
【図２８】内天板
【図２９】ヒートライザー煙突設置口部
【図３０】ダンパー付き煙突設置口部
【図３１】ヒートライザー空気抜き孔付天板
【図３２】一次空気取入れ孔
【図３３】一次空気
【図３４】二次空気
【図３５】三次空気
【図３６】一次燃焼
【図３７】二次燃焼
【図３８】ヒートライザー燃焼
【図３９】調理室燃焼
【図４０】排気燃焼
【図４１】外天板
【図４２】余熱使用湯沸かし
【符号の説明】
【０００８】１  本考案の斜視図
２  本考案の断面図
３  本考案の構造を示す斜視図
４  本考案の構造状態を示す斜視図
５  本考案の構造状態を示す斜視図
６  本考案の構造状態を示す斜視図
７  本考案の構造状態を示す斜視図
８  本考案の燃焼室枠を示す斜視図
８  本考案の外部取入れ空気の流れと燃焼の流れを示す断面図
９  本考案の使用状態を示す斜視図
【図１】
0003219419.tif 000003
【図２】
0003219419.tif 000004
【図３】
0003219419.tif 000005
【図４】
0003219419.tif 000006
【図５】
0003219419.tif 000007
【図６】
0003219419.tif 000008
【図７】
0003219419.tif 000009
【図８】
0003219419.tif 000010
【図９】
0003219419.tif 000011
【図１０】
0003219419.tif 000012
【手続補正書】
【提出日】平成30年8月15日(2018.8.15)
【手続補正１】
【補正対象書類名】実用新案登録請求の範囲
【補正対象項目名】全文
【補正方法】変更
【補正の内容】
【実用新案登録請求の範囲】
【請求項１】
調理用無煙薪ストーブ本体にダンパー用取手ハンドルを備えたダンパー付き煙突を設け、焚き口枠に窓ガラスクリーン空気孔を設けた調理室用耐熱窓ガラスを備えた調理室用取手付開閉扉を設け、調理用無煙薪ストーブ本体の正面に燃焼室用耐熱窓ガラスを備えた燃焼室取手付開閉扉を設け、燃焼室取手付開閉扉の真下に灰受け取出しトレイを設け、調理用無煙薪ストーブ本体側面左右面に一次外気取り込み調整口と二次外気取入れ孔を備えた二次外気取り込み調整口並びに三次外気取り込み調整口を設け、調理用無煙薪ストーブ本体側面左右面に調理室用ダンパー開閉ハンドルを設け、調理用無煙薪ストーブ本体正面にある燃焼室の上部面に内筒直通煙突と断熱材を備えた外筒煙突を設けたヒートライザー内部を設け、調理用無煙薪ストーブ本体内部の奥面位置に調理室用ダンパーを備えた棚を設けた調理室を装着した調理用無煙薪ストーブ。
【請求項２】
調理用無煙薪ストーブ本体正面にある燃焼室の上部面に内筒直通煙突と断熱材を備えた外筒煙突を設け、棚を備えた調理室との周設にある燃焼通路との境に上昇気流を発生させるヒートライザー囲い仕切り板部を設け、断熱材を備えた外筒煙突の内側に設けた内筒直通煙突から発生させたヒートライザー燃焼による燃焼を、三次空気と合流しさらに強力な高温燃焼を引き起こした燃焼と、調理室の周設にある燃焼通路を取り囲むように燃焼した排気燃焼を調理室用ダンパー開閉により得た燃焼と係合させ、ドラフトを強めるヒートライザーのある空間の部屋に通じる煙突穴道と調理室の上部に設けてあるダンパー付き煙突の煙突道の二つの煙突道を持つ燃焼室を備えたことを特長とする請求項１記載の調理用無煙薪ストーブ。
【請求項３】
調理用無煙薪ストーブ本体正面にある燃焼室の上部面に設けた、ヒートライザー内部に設けた外筒煙突はその内部に備えた内筒煙突は外気から冷やされないことで、外気温との温度差が生まれ一つのドラフトによる吸排気が強力な引きが発生し、さらに調理室の空間に繋がっている調理室用ダンパーによる二つの煙道により燃焼室高効率が高められ、燃焼室に大型の薪の使用が可能にすることが出来たことを特長とする請求項１または２記載の調理用無煙薪ストーブ。
【請求項４】
調理用無煙薪ストーブ本体側面左右面に一次外気取り込み調整口と二次外気取入れ孔を備えた二次外気取り込み調整口並びに三次外気取り込み調整口を複数設け、調理用無煙薪ストーブ本体側面左右面に調理室用ダンパー開閉ハンドルを設け、燃焼空気は調理用無煙薪ストーブ本体ストーブの燃焼室の焚き口下からと燃焼室真ん中とそれに上部から空気を供給してドラフトによる同時複数の吸排気によって燃焼率を高めるように設けてあり、完全燃焼の効果を補助し無煙焼成を発揮することが可能となり、さらに煙道上部のダンパー付き煙突を調整することにより燃焼時間調整ができ、ゆっくりと燃焼させることにより長時間燃焼を可能にし、燃焼暖房の効率を高めることが出来た事を特長とする請求項１〜３のいずれか一項に記載の調理用無煙薪ストーブ。
【手続補正２】
【補正対象書類名】明細書
【補正対象項目名】０００７
【補正方法】変更
【補正の内容】
【０００７】
【図１】本考案の斜視図
【図２】本考案の断面図
【図３】本考案の構造を示す斜視図
【図４】本考案の構造状態を示す斜視図
【図５】本考案の構造状態を示す斜視図
【図６】本考案の構造状態を示す斜視図
【図７】本考案の構造状態を示す斜視図
【図８】本考案の燃焼室枠を示す斜視図
【図９】本考案の外部取入れ空気の流れと燃焼の流れを示す断面図
【図１０】本考案の使用状態を示す斜視図
【手続補正３】
【補正対象書類名】明細書
【補正対象項目名】０００８
【補正方法】変更
【補正の内容】
【０００８】  １  調理用無煙薪ストーブ本体
２  ダンパー付き煙突
３  ダンパー用取手ハンドル
４  調理室用取手付開閉扉
５  調理室用耐熱窓ガラス
６  燃焼室枠
７  窓ガラスクリーン空気孔
８  燃焼室取手付開閉扉
９  燃焼室用耐熱窓ガラス
１０  灰受け取出しトレイ
１１  一次外気取り込み調整口
１２  二次外気取入れ孔
１３  二次外気取り込み調整口
１４  三次外気取り込み調整口
１５  調理室用ダンパー開閉ハンドル
１６  棚を備えた調理室
１７  調理室用ダンパー
１８  ロストル
１９  内筒直通煙突
２０  断熱材
２１  外筒煙突
２２  ヒートライザー囲い仕切り板部
２３  ヒートライザー内部
２４  燃焼室
２５  薪ストーブ土台
２６  一次外気排出孔室
２７  三次三相排出孔
２８  内天板
２９  ヒートライザー煙突設置口部
３０  ダンパー付き煙突設置口部
３１  ヒートライザー空気抜き孔付天板
３２  一次空気取入れ孔
３３  一次空気
３４  二次空気
３５  三次空気
３６  一次燃焼
３７  二次燃焼
３８  ヒートライザー燃焼
３９  調理室燃焼
４０  排気燃焼
４１  外天板
４２  余熱使用湯沸かし